(57)【特許請求の範囲】
【請求項１】
掃除機本体と、該掃除機本体の底面に配設された支持部材と、前記支持部材を覆う滑部材とを備え、該滑部材は基材と該基材に設けられた起毛材とを有し、前記掃除機本体には前記支持部材と前記滑部材とを押さえる押え部が形成された電気掃除機本体であって、
前記基材に前記起毛材が設けられていない基材部を形成し、該基材部と前記支持部材とを掃除機本体に設けた嵌合溝に挟持したことを特徴とする電気掃除機本体。
【請求項２】
吸込口本体と、該吸込口本体の外周に沿って設けられた第１の起毛体と、該吸込口本体の外周に沿って設けられた第２の起毛体とを備え、前記第１の起毛体は基材と該基材に設けられた起毛材とを有し、前記吸込口本体には前記第１の起毛体を押さえる押え部が設けられた吸込口体であって、
前記基材は、布状であって、該基材に前記起毛材が設けられていない基材部を形成し、該基材部を前記押え部で押さえたことと、
前記第２の起毛体の両端部を前記吸込口本体に形成した孔部に挿入したことを特徴とする吸込口体。
【請求項３】
吸込口本体と、該吸込口本体の少なくとも底面に配設された清掃部材と、該吸込口本体の外周に沿って設けられた起毛体とを備え、該清掃部材は基材と該基材に設けられた起毛材とを有し、前記吸込口本体には前記清掃部材を押さえる押え部が形成された吸込口体であって、
前記基材は、布状であって、該基材に前記起毛材が設けられていない基材部を形成し、該基材部を前記押え部で押さえたことと、
前記起毛体の両端部を前記吸込口本体に形成した孔部に挿入したことを特徴とする吸込口体。
【請求項４】
吸込口本体と、該吸込口本体の外周に沿って設けられた起毛体と、該吸込口本体の少なくとも底面に設けられた清掃部材とを備え、前記起毛体は基材と該基材に設けられた起毛材とを有し、前記吸込口本体には前記起毛体を押さえる押え部が設けられた吸込口体であって、
前記基材は、布状であって、該基材に前記起毛材が設けられていない基材部を形成し、該基材部を前記押え部で押さえたことと、
前記清掃部材の周縁部の一部を前記吸込口本体に形成した孔部に挿入したことを特徴とする吸込口体。
【請求項５】
吸込口本体と、該吸込口本体の少なくとも底面に配設された第１の清掃部材と、
該吸込口本体の少なくとも底面に設けられた第２の清掃部材とを備え、該第１の清掃部材は基材と該基材に設けられた起毛材とを有し、前記吸込口本体には前記第１の清掃部材を押さえる押え部が形成された吸込口体であって、
前記基材は、布状であって、該基材に前記起毛材が設けられていない基材部を形成し、該基材部を前記押え部で押さえたことと、
前記第２の清掃部材の周縁部の一部を前記吸込口本体に形成した孔部に挿入したことを特徴とする請求項１又は２に記載の吸込口体。
【請求項６】
掃除機本体と、該掃除機本体の外周に沿って設けられた起毛体とを備え、該起毛体は基材と該基材に設けられた起毛材とを有し、前記掃除機本体には前記起毛体を押さえる押え部が設けられた電気掃除機本体であって、前記基材は、布状であって、該基材に前記起毛材が設けられていない基材部を形成し、該基材部を前記押え部で押さえたことと、
前記起毛体の両端部を前記掃除機本体に形成した孔部に挿入したことを特徴とする電気掃除機本体。
【請求項７】
掃除機本体と、該掃除機本体の外周に沿って設けられた起毛体とを有する電気掃除機本体であって、前記起毛体の両端部を前記掃除機本体に形成した孔部に挿入したことを特徴とする請求項１に記載の電気掃除機本体。
【請求項８】
掃除機本体と、該掃除機本体の外周に沿って設けられた起毛体と、該掃除機本体の底面に設けられた滑部材とを備え、該起毛体は基材と該基材に設けられた起毛材とを有し、前記掃除機本体には前記起毛体を押さえる押え部が設けられた電気掃除機本体であって、
前記基材は、布状であって、該基材に前記起毛材が設けられていない基材部を形成し、該基材部を前記押え部で押さえたことと、
前記滑部材の周縁部の一部を前記掃除機本体に形成した孔部に挿入したことを特徴とする電気掃除機本体。
【請求項９】
掃除機本体と、該掃除機本体の底面に設けられた滑部材とを有する電気掃除機本体であって、
前記滑部材の周縁部の一部を前記掃除機本体に形成した孔部に挿入したことを特徴とする請求項１に記載の電気掃除機本体。
【発明の詳細な説明】
【０００１】
【発明の属する技術分野】
この発明は、吸込口本体の外周に沿って起毛体が設けられ、或いは吸込口本体の底面に清掃部材が設けられた吸込口体、及び、掃除機本体の外周に沿って起毛体が設けられ、或いは掃除機本体の底面に滑部材が設けられた電気掃除機本体に関するものである。
【０００２】
【従来技術】
従来の吸込口体１として、図１３及び図１４に示すように、吸込口本体２と、この吸込口本体２の外周に沿って設けられたバンパ３と、このバンパ３の下端部に沿って設けられた起毛体４とを有しているものが知られている。
【０００３】
この吸込口本体２は、図１３に示すように、上下方向に分割可能な上ケース２ａ及び下ケース２ｂを備えている。この下ケース２ｂは、底面２ｆに底面吸込開口２ｅ（図１４参照）が形成され、前面に複数の前面吸込開口２ｃが形成され、底面２ｆの前に前輪２ｄが設けられている。なお、吸込口本体２の内部に形成された図示しない吸込室内には、底面吸込開口２ｅに臨む位置に回転清掃体７が回転自在に配設されている。
【０００４】
そして、図１５に示すように、この上ケース２ａと下ケース２ｂとの間にはバンパ３の一部が挟持されて、吸込口本体２にバンパ３が保持されている。このバンパ３は合成樹脂等により形成され、吸込口本体２の側面から外側に向かって突出している。
【０００５】
また、起毛体４は上端部が下ケース２ｂと、バンパ３との間に挟持されている。そして、この起毛体４の下端部が、バンパ３の下側から突出するように保持されている。
【０００６】
この起毛体４は基材４ａと、この基材４ａに植毛等により固定された起毛材４ｂとを備えている。なお、バンパ３の下側から突出した起毛材４ｂの先端はバンパ３の側面よりも僅かに外側に突出している。そして、６は図示しない延長管に接続される接続管である。
【０００７】
また、吸込口本体２の下ケース２ｂの底面２ｆには清掃部材８が設けられている。この清掃部材８は底面吸込開口２ｅの左右両端部近傍に設けられ、下ケース２ｂの底面２ｆに接着剤（図示せず）によって接着されている。そして、この清掃部材８は起毛体４と同じ部材から形成され、基材８ａと、この基材８ａに設けられた起毛材８ｂとを有している。
【０００８】
この吸込口体１を前後に移動させて床面等の被清掃面の掃除を行った際に、吸込口体１が家具や壁面等に接触する。このとき、起毛体４が家具や壁面等に接触し、吸込口体１が家具等に接触する際の衝撃が緩衝され、吸込口体１が保護されると共に、家具や壁面等に傷がつくことが防止されている。さらに、この起毛体４で壁面等に付着した塵埃を清掃できる。
【０００９】
また、吸込口体１が被清掃面上を移動した際、底面吸込開口２ｅから吸い込まれなかった塵埃を、下ケース２ｂの底面２ｆに設けられた清掃部材８の起毛材８ｂによって捕集していた。また、この清掃部材８は吸込口体１と被清掃面との摩擦力を低減させ、吸込口体１の移動操作をスムーズにさせている。
【００１０】
【発明が解決しようとする課題】
しかしながら、上述の吸込口体１では、下ケース２ｂとバンパ３との間に起毛材４ｂの上から起毛材４ｂを変形させて押さえているために、起毛材４ｂの復元力が働くことから押さえる力が弱く、起毛体４が下ケース２ｂとバンパ３との間から抜け易いという問題があった。
【００１１】
また、吸込口体１を前後に移動すると、下ケース２ｂの底面２ｆに設けられた清掃部材８の基材８ａの長手方向の両端部８ｃが被清掃面に引っ掛かってしまい、この引っ掛かった両端部８ｃがめくれて、清掃部材８が剥がれてしまうことがあった。
【００１２】
したがって、この発明は、起毛体、清掃部材や滑部材が抜けたり、剥がれたりすることが防止できる吸込口体と電気掃除機本体を提供することを目的としている。
【００１３】
【課題を解決するための手段】
上記課題を解決するために、この発明は、吸込口本体の外周に沿って設けられた起毛体の基材、及び、吸込口本体の少なくとも底面に設けられた清掃部材の基材には、それぞれ起毛材が設けられていない基材部を形成し、この基材部を吸込口本体に設けられた押え部で押さえたことを特徴としている。
【００１４】
そして、この発明は、吸込口本体の外周に沿って設けられた起毛体、及び、吸込口本体の少なくとも底面に設けられた清掃部材の周縁部の一部を吸込口本体に形成した孔部に挿入したことを特徴としている。
【００１５】
また、この発明は、電気掃除機本体の外周に沿って設けられた起毛体の基材、及び、電気掃除機本体の底面に設けられた滑部材の基材に、それぞれ起毛材が設けられていない基材部を形成し、この基材部を電気掃除機本体に設けられた押え部で押さえたことを特徴としている。
【００１６】
そして、この発明は、電気掃除機本体の外周に沿って設けられた起毛体、及び、電気掃除機本体の底面に設けられた滑部材の周縁部の一部を電気掃除機本体に形成された孔部に挿入したことを特徴としている。
【００１７】
【発明の実施の形態】
以下、図面に基づいてこの発明の実施の形態を説明する。
【００１８】
図１に示す電気掃除機１００は、この発明の吸込口体１０と電気掃除機本体２０とを備えている。
【００１９】
電気掃除機本体２０内には、前側に集塵袋３１ａを内蔵した集塵室３１が形成され、この集塵室３１を負圧にする電動送風機３２が集塵室３１の後側に設けられている。また、電気掃除機本体２０の前面には、接続口３３が形成されている。
【００２０】
そして、この接続口３３には吸込ホース３４の一端部が着脱自在に接続されている。また、吸込ホース３４の他端部には手元操作管３４ａを介して伸縮自在な延長管３５が着脱自在に接続され、この延長管３５の先端部には吸込口体１０が着脱自在に接続されている。
【００２１】
＜吸込口体＞
吸込口体１０は、図２及び図３に示すように、吸込口本体１１と、吸込口本体１１の外周に沿って設けられたバンパ１２と、吸込口本体１１の後部中央に前後方向に回動自在に設けられた接続パイプ１３とを備えている。
【００２２】
吸込口本体１１は、上下方向に分割可能な上ケース１１１と、下ケース１１２とを備えている。そして、この上ケース１１１と下ケース１１２との内側には吸込室４０（図６参照）が形成されている。
【００２３】
また、図２に示すように、下ケース１１２の底面１１３に底面吸込開口１１４が形成され、この底面吸込開口１１４を臨んで吸込室４０内に回転清掃体１１５が回転自在に設けられている。さらに、この下ケース１１２の底面１１３には、接続パイプ１３の両側に位置する一対の第一車輪１１６、１１６が設けられると共に、底面吸込開口１１４の後側に取付開口１１７ａが形成され、この取付開口１１７ａ内に出没自在に回転清掃体１１５の駆動モータをオン・オフする床面検知スイッチ１１７が設けられている。
【００２４】
そして、図３及び図４に示すように、下ケース１１２の前面１１２ａ及び前側底部１１２ｅにかけて、複数の前面吸込開口１１２ｂが形成されている。また、この下ケース１１２の前面１１２ａには、後述する第一清掃部材１５を取り付ける取付凹部１１２ｃが形成されている。
【００２５】
そして、下ケース１１２の底面１１３には、底面吸込開口１１４の側方に後述する第二清掃部材１６を取り付ける取付凹部１１３ａが形成されている。なお、図４では、後述するカバー１１８が外された状態であるので、図２において左側に位置する第二清掃部材１６を取り付ける取付凹部１１３ａのみが形成されている。なお、ここで、取付凹部１１３ａは下ケース１１２の前面１１２ａにまで延在された矩形状を呈しており、第二清掃部材１６が下ケース１１２の前面１１２ａにも位置するように設けられている（図２、３参照）。
【００２６】
バンパ１２は、図５（ａ）に示すように、上ケース１１１と下ケース１１２との間に一部が挟持されて、吸込口本体１１の周面よりも外側に突出した状態に保持されている。
【００２７】
接続パイプ１３は、図６に示すように、一端部が吸込口本体１１の内部に形成された吸込室４０に接続され、他端が延長管３５に接続されている。
【００２８】
また、図２に示すように、吸込口本体１１の外周に沿って清掃機能も有する起毛体としての保護部材１４が設けられている。そして、吸込口本体１１前面から底面にかけて二つの第一清掃部材１５、１５が設けられ、吸込口本体１１の底面には二つの第二清掃部材１６、１６´が設けられている。
【００２９】
この保護部材１４は、基材１４１と、この基材１４１に設けられた起毛材１４２とを備え、基材１４１の上側の端部には、起毛材１３２が設けられていない基材部１４ａが形成されている。ここでは、毛状の起毛材１４２は布状の基材１４１に植毛されて固定されている。また、この基材１４１及び起毛材１４２はナイロンやポリエステル等の化学繊維等により形成されている。
【００３０】
そして、図５（ａ）に示すように、この保護部材１４の基材部１４ａがバンパ１２により押さえられて、バンパ１２と下ケース１１２との間に挟持されている。ここで、バンパ１２は、保護部材１４を押さえる押え部となっている。
【００３１】
第一清掃部材１５は、基材１５１と、この基材１５１に設けられた起毛材１５２とを備え、基材１５１の一方の端部には、起毛材１５２が設けられていない基材部１５ａが形成されている。ここでは、毛状の起毛材１５２は布状の基材１５１に植毛されて固定されている。また、この基材１５１及び起毛材１５２はナイロンやポリエステル等の化学繊維等により形成されている。
【００３２】
また、この第一清掃部材１５は、図示しない接着剤によって取付凹部１１２ｃに固着されている。
【００３３】
そして、図５（ｂ）に示すように、この第一清掃部材１５の長手方向の一方の端部に設けられた基材部１５ａが、保護部材１４の下端部で押さえられて、保護部材１４の下端部と下ケース１１２との間に挟持されている。ここで、保護部材１４は、第一清掃部材１５を押さえる押え部となっている。
【００３４】
さらに、図５（ｂ）に示すように、この第一清掃部材１５の長手方向の他方の端部は、下ケース１１２に形成された孔部１１２ｄに挿入されている。この孔部１１２ｄには内側に向かって突出するリブ１１２ｅが形成され、このリブ１１２ｅにも第一清掃部材１５の他方の端部が図示しない接着剤によって固着されている。
【００３５】
第二清掃部材１６は、基材１６１と、この基材１６１に設けられた起毛材１６２とを備えている。ここでは、毛状の起毛材１６２は布状の基材１６１に植毛されて固定されている。また、この基材１６１及び起毛材１６２はナイロンやポリエステル等の化学繊維等により形成されている。
【００３６】
また、この第二清掃部材１６は、取付凹部１１３ａに図示しない接着剤により固着されている。
【００３７】
そして、図５（ｃ）に示すように、この第二清掃部材１６の長手方向の両端部は、下ケース１１２に形成された孔部１１３ｂ、１１３ｂにそれぞれ挿入されている。この孔部１１３ｂ、１１３ｂには、内側に向かって突出するリブ１１３ｃ、１１３ｃがそれぞれ形成され、第二清掃部材１６の長手方向の両端部がこのリブ１１３ｃ、１１３ｃにも図示しない接着剤によって固着されている。
【００３８】
なお、図２において右側に位置する第二清掃部材１６´は、ここでは回転清掃体１１５を保持する軸受（図示せず）を覆う着脱可能なカバー１１８に接着されている。そして、この第二清掃部材１６´の長手方向の端部は、下ケース１１２に形成された孔部（図示せず）に挿入されている。
【００３９】
＜電気掃除機本体＞
電気掃除機本体２０は、図９に示すように、掃除機本体２１と、この掃除機本体２１の後方側部に設けられた一対の車輪２２、（他方図示せず）と、掃除機本体２０の外周に沿って設けられたバンパ２３とを備えている。
【００４０】
掃除機本体２１は、上ケース２１ａと、下ケース２１ｂと、上ケース２１ａに取り付けられた蓋体２１ｃとを有している。また、下ケース２１ｂの底面には、被清掃面Ｇに向かって突出した支持部２１ｄが設けられている。
【００４１】
この支持部２１ｄは下ケースの２１ｂの底面からほぼ半球状に突出している。そして、ここでは、環状の孔部２１ｅの内側に支持部２１ｄが着脱自在に形成されている。
【００４２】
バンパ２３は、図１０（ａ）に示すように、上ケース２１ａと下ケース２１ｂとによって挟持されて、掃除機本体２１の周面よりも外側に向かって突出した状態に保持されている。
【００４３】
また、図９に示すように、この掃除機本体２１の外周に沿って清掃機能も有する起毛体としての保護部材２４が設けられている。そして、支持部２１ｄが滑部材２５によって覆われている。
【００４４】
保護部材２４は基材２４１と、この基材２４１に設けられた起毛材２４２とを備えて、基材２４１の上側の端部には、起毛材２４２が設けられていない基材部２４ａが形成されている。ここでは、毛状の起毛材２４２は布状の基材２４１に植毛されて固定されている。また、この基材２４１及び起毛材２４２はナイロンやポリエステル等の化学繊維により形成されている。
【００４５】
そして、図１０（ａ）に示すように、この保護部材２４の基材部２４ａがバンパ２３の下端部により押さえられて、バンパ２３の下端部と下ケース２１ｂとの間に挟持されている。ここで、バンパ２３は、保護部材２４を押さえる押え部になっている。
【００４６】
また、滑部材２５は基材２５１と、この基材２５１に設けられた起毛材２５２とを備えている。ここでは、毛状の起毛材２５２は布状の基材２５１に植毛されて固定されている。また、この基材２５１及び起毛材２５２はナイロンやポリエステル等の化学繊維により形成されている。
【００４７】
図１０（ｂ）及び図１０（ｃ）に示すように、この滑部材２５は支持部２１ｄに接着剤によって固着されている。そして、滑部材２５の周縁部は、支持部２１ｄと共に孔部２１ｅ内に挿入されている。
【００４８】
次に、この吸込口体１０及び電気掃除機本体２０を備えた電気掃除機１００の作用について説明する。
【００４９】
この電気掃除機１００を使用するには、図示しないスイッチを入れて電動送風機３２を駆動させる。電動送風機３２が駆動すると吸込負圧が発生する。この吸込負圧は集塵室３１と、吸込ホース３４と、延長管３５、３６とを順に介して、接続管１３を通過し、吸込室４０内に作用する。この吸込負圧によって被清掃面Ｇ上の塵埃が底面吸込開口１１４及び前面吸込開口１１２ｂから吸い込まれる（図６参照）。
【００５０】
また、このとき回転清掃体１１５が図示しない駆動モータで回転させられ、回転した回転清掃体１１５によって絨毯等の被清掃面Ｇ上の塵埃はかきあげられる。
【００５１】
このように吸込口体１０によって塵埃を吸い込みながら、手元操作管３４ａを操作して吸込口体１０を被清掃面Ｇ上で移動させていく。
【００５２】
そして、この吸込口体１０が家具や壁面等に接触すると、吸込口本体１１の外周に沿って設けられた保護部材１４が家具等に接触する。このとき、保護部材１４が接触の衝撃を吸収して、吸込口体１１及び家具等が傷つくことを防止すると共に、家具等に付着した塵埃を掃くことができる。
【００５３】
また、保護部材１４は起毛材１４２が設けられていない基材部１４ａが、吸込口本体１１の下ケース１１２とバンパ１２との間に挟持されている。そのため、起毛材１４２の復元力でバンパ１２がめくれる方向に力が作用せず、この基材部１４ａは下ケース１１２とバンパとの間に密着し、強い力で確実に挟持されて保護部材１４が抜けてしまうおそれはなくなる（図５（ａ）参照）。
【００５４】
さらに、吸込口本体１１の前面である下ケース１１２の前面１１２ａに設けられた第一清掃部材１５も家具等に接触する。そして、この状態で吸込口体１０を家具等に沿って左右方向移動させると、家具等に付着した塵埃をこの第一清掃部材１５によって掃くことができる。
【００５５】
また、この第一清掃部材１５の起毛材１５２が、被清掃面Ｇとの間に生ずる摩擦力を低減させ、吸込口体１０の移動操作をスムーズにさせることができる。
【００５６】
ここで、第一清掃部材１５は一方の端部に形成された基材部１５ａが吸込口本体１１の下ケース１１２と保護部材１４との間に挟持されている。この基材部１５ａには起毛材が設けられておらず、起毛材１５２の復元力でめくれる方向に力が作用せず、保護部材１４と下ケース１１２との間に密着することができる。そのため、基材部１５ａは強い力で確実に挟持されて、第一清掃部材１５が抜けてしまうおそれはない。
【００５７】
さらに、この第一清掃部材１５は接着剤によって下ケース１１２に接着されると共に、他方の端部が下ケース１１２に形成された孔部１１２ｄに挿入されている。このため、第一清掃部材１５のこの他方の端部の基部１５１の先端部１５３が被清掃面Ｇ等に引っ掛かってめくれることが確実に防止され、第一清掃部材１５が剥がれることはない（図５（ｂ）参照）。
【００５８】
ここでは、この他方の端部が孔部１１２ｄ内に形成されたリブ１１２ｅに接着されている。これにより、他方の端部が孔部１１２ｄから抜け出ることが防止され、基部１５１の先端部１５３が、さらにめくれ難くされている。
【００５９】
この吸込口体１０を被清掃面Ｇ上で前後に移動させていくと、吸込口本体１１の底面である下ケース１１２の底面１１３に設けられた第二清掃部材１６、１６´によって、底面吸込開口１１４及び前面吸込開口１１２ｂから吸い込みきれなかった塵埃が捕集される。
【００６０】
このとき、第二清掃部材１６の長手方向の両端部、すなわち吸込口本体１１の前後方向の両端部が、下ケース１１２に形成された孔部１１３ｂ、１１３ｂにそれぞれ挿入されている。そのため、この第二清掃部材１６の長手方向両端部の基部１６１の先端部１６３が被清掃面Ｇ等に引っ掛かることが防止されて、第二清掃部材１６が剥がれることはない（図５（ｃ）参照）。なお、第二清掃部材１６´も同様である。
【００６１】
一方、手元操作部３４ａの操作によりホース３４を介して電気掃除機本体２０が移動すると、掃除機本体２１が家具や壁面等に接触する。
【００６２】
このとき、掃除機本体２１の外周に沿って設けられた保護部材２４が家具等に接触する。ここで、保護部材２４が接触した際に生じる衝撃を吸収し、掃除機本体２１及び家具等が傷つくことを防止していると共に、家具等に付着した塵埃を掃くことができる。
【００６３】
そして、この保護部材２４は上端部に形成された基材部２４ａが、バンパ２３と掃除機本体２１の下ケース２１ｂとの間に挟持されている。ここで、この基材部２４ａには起毛材２４２が設けられておらず、起毛材２４２の復元力でバンパ２３がめくれる方向に力が作用せず、バンパ２３と下ケース２１ｂとの間に密着している。これにより、この基材部２４ａが掃除機本体２１と下ケース２１ｂとの間に強い力で挟持されて、抜けることが確実に防止されている。
【００６４】
さらに、掃除機本体２１の下ケース２１ｂの底面に形成された支持部２１ｄが滑部材２５により覆われている。そのため、この滑部材２５の起毛材２５２が、掃除機本体２１と被清掃面Ｇとの摩擦力を低減し、車輪を用いなくても掃除機本体２１はスムーズに移動することができる。
【００６５】
そして、この滑部材２５が支持部２１ｄに接着剤によって固着されていると共に、滑部材２５の周縁部が孔部２１ｅ内に挿入されて、滑部材２５の周縁部の基材２５１の先端部２５３が被清掃面Ｇに引っ掛かることはない。そして、掃除機本体２１を移動させても滑部材２５が剥がれることを確実に防止することができる。
【００６６】
以上、この発明の実施の形態の一つを詳述してきたが、具体的な構成は上述の実施の形態に限らない。
【００６７】
図７（ａ）に示す吸込口体５０のようなものでも良い。この吸込口体５０は、吸込口本体５１の上ケース５１１と下ケース５１２との間に、起毛体としての保護部材５２が挟持されている。この場合、上ケース５１２の下端部が保護部材５２を吸込口本体５１に取り付けるための押え部となっている。
【００６８】
そして、図７（ｂ）に示すように、この保護部材５２は基材５２１と、基材５２１に設けられた起毛材５２２とを備え、基材５２１の上端部には起毛材５２２が設けられていない基材部５２ａが形成されている。そして、この基材部５２ａが上ケース５１１と下ケース５１２との間に挟持されている。
【００６９】
ここで、起毛材５２２が設けられていない基材部５２ａが上ケース５１１と下ケース５１２との間に密着して、起毛材５２２の復元力で上ケース５１１がめくれる方向に力が作用せず、強い力で挟持されている。そして、保護部材５２が抜けることを防止することができる。
【００７０】
また、図８（ａ）に示す吸込口体６０のようなものでも良い。この吸込口体６０は、吸込口本体６１の上ケース６１１と下ケース６１２とが互いに突き合わされている。そして、この突合せ部分を覆うように、吸込口本体６１の外周に沿って起毛体としての保護部材６２が設けられている。
【００７１】
また、図８（ｂ）に示すように、この保護部材６２は基材６２１と起毛材６２２とを備え、この基材６２１の裏面側が図示しない接着剤によって吸込口本体６１に接着されている。
【００７２】
そして、図８（ｃ）に示すように、保護部材６２の長手方向両端部６２ａ（他方、図示せず）は、吸込口本体６１の後壁面に形成された孔部６３に挿入されている。なお、ここでは図示しないが、下ケース６１２に形成された孔部６３に対向する位置に、上ケース６１１側の孔部が形成されている。
【００７３】
また、この孔部６３の内側に向かってリブ６３ａが形成され、このリブ６３ａにも保護部材６２の長手方向両端部６２ａが接着されている。そのため、この両端部６２ａの基材６２１の先端部６２３が家具等に接触することがなく、めくれることがない。そして、保護部材６２が剥がれることを防止することができる。
【００７４】
さらに、図１１（ａ）に示す電気掃除機本体７０のようなものでも良い。この電気掃除機本体７０は、上ケース７１ａと、下ケース７１ｂと、蓋体７１ｃとを有する掃除機本体７１を備えている。そして、この上ケース７１ａと下ケース７１ｂとは、互いに突き合わされている。さらに、この突合せ部分を覆うように、掃除機本体７１の外周に沿って起毛体としての保護部材７２が設けられている。また、下ケース７１ｂの下面に形成された嵌合溝７１ｅに支持部７１ｄが着脱自在に設けられている。
【００７５】
保護部材７２は、図１１（ｂ）に示すように、基材７２１と、この基材７２１に設けられた起毛材７２２とを備え、図示しない接着剤によって掃除機本体７１に接着されている。
【００７６】
そして、図１２（ａ）に示すように、この保護部材７２の長手方向両端部７２ａ（他方、図示せず）は、掃除機本体７１に形成された孔部７３内に挿入されている。なお、この孔部７３には内側に向かってリブが形成され、このリブにも保護部材７２は接着剤により接着されている。
【００７７】
それにより、保護部材７２の両端部７２ａの基材７２１の先端部７２３が家具等に引っ掛かってめくれることがなく、この保護部材７２が剥がれてしまうことを、確実に防止することができる。
【００７８】
一方、下ケース７１ｂから突出した支持部７１ｄは、滑部材７４により覆われている。
【００７９】
この滑部材７４は、図１２（ｂ）（ｃ）に示すように、基材７４１と、この基材７４１に設けられた起毛材７４２とを備え、周縁部には起毛材７４２が設けられていない基材部７４ａが形成されている。
【００８０】
そして、この基材部７４ａが支持部７１ｄと嵌合溝７１ｅとの間に挟持されている。ここで、嵌合溝７１ｅが押え部にされている。
【００８１】
起毛材７４２が設けられていない基材部７４ａは、支持部材７１ｄと嵌合溝７１ｅとの間に密着し、強い力で挟持されることができる。そして、この滑部材７４が剥がれることが確実に防止されている。
【００８２】
なお、上記実施例では、起毛体をバンパより外周に突出する保護部材として説明したが、バンパよりも突出せず、清掃機能のみを有するものにも適用できる。
【００８３】
【発明の効果】
この発明によれば起毛体、清掃部材や滑部材が、抜けたり、剥がれたりすることが防止できる吸込口体と、電気掃除機本体とを提供することができる。
【図面の簡単な説明】
【図１】この発明の吸込口体及び電気掃除機本体を備えた電気掃除機の全体斜視図である。
【図２】この発明の吸込口体の底面側を示した斜視図である。
【図３】この発明の吸込口体の正面図である。
【図４】この発明の吸込口体の下ケースの底面図である。
【図５】（ａ）図３におけるＡ−Ａ断面図である。
（ｂ）図３におけるＢ−Ｂ断面図である。
（ｃ）図３におけるＣ−Ｃ断面図である。
【図６】図３におけるＤ−Ｄ断面図である。
【図７】（ａ）この発明の吸込口体の他の実施例の正面図である。
（ｂ）図７（ａ）におけるＡ´−Ａ´断面図である。
【図８】（ａ）この発明の吸込口体の他の実施例の正面図である。
（ｂ）図８（ａ）におけるＡ´´−Ａ´´断面図である。
（ｃ）図８（ａ）におけるＢ´−Ｂ´断面図の要部である。
【図９】この発明の電気掃除機本体の側面図である。
【図１０】（ａ）図７におけるＥ−Ｅ断面図である。
（ｂ）この発明の掃除機本体の支持部の前後方向断面図である。
（ｃ）この発明の掃除機本体の支持部の左右方向断面図である。
【図１１】（ａ）この発明の電気掃除機本体の他の実施例の側面図である。
（ｂ）図１１（ａ）におけるＥ´−Ｅ´断面図である。
【図１２】（ａ）この発明の他の実施例の掃除機本体の孔部近傍の横断面図である。
（ｂ）この発明の他の実施例の掃除機本体の支持部の前後方向断面図である。（ｃ）この発明の他の実施例の掃除機本体の支持部の左右方向断面図である。
【図１３】従来の吸込口体の斜視図である。
【図１４】従来の吸込口体の底面側を示した斜視図である。
【図１５】図９におけるＦ−Ｆ断面図である。
【符号の説明】
１０          吸込口体
１１          吸込口本体
１２          バンパ（押え部）
１４          保護部材（起毛体）
１４１        基材
１４２        起毛材
１４ａ        基材部
【図１】
0004010808.tif 000002
【図２】
0004010808.tif 000003
【図３】
0004010808.tif 000004
【図４】
0004010808.tif 000005
【図５】
0004010808.tif 000006
【図６】
0004010808.tif 000007
【図７】
0004010808.tif 000008
【図８】
0004010808.tif 000009
【図９】
0004010808.tif 000010
【図１０】
0004010808.tif 000011
【図１１】
0004010808.tif 000012
【図１２】
0004010808.tif 000013
【図１３】
0004010808.tif 000014
【図１４】
0004010808.tif 000015
【図１５】
0004010808.tif 000016